(57)【要約】【課題】操作者の意図しない操作の判定を抑制して操作性を向上させることができる操作検出装置を提供する。【解決手段】操作検出装置１は、操作指の接触が検出される検出領域１０１、及び検出領域１０１の周囲の領域であり、操作指の接触が検出されない非検出領域１０２に分けられる操作面１００を有するタッチパッド１０と、操作面１００に対する操作指の接触による圧力を検出する圧力センサ１６と、タッチパッド１０が操作指の検出状態から非検出状態に移行しても圧力センサ１６が圧力を検出していた場合、操作指が検出領域１０１から非検出領域１０２に移動したと推定し、この推定により判定可能として予め定められた操作を判定する制御部１８と、を備えて概略構成されている。【選択図】図１
2016218820.tif 000002
【特許請求の範囲】
【請求項１】
検出対象の接触が検出される検出領域、及び前記検出領域の周囲の領域であり、前記検出対象の接触が検出されない非検出領域に分けられる操作面を有する操作検出部と、
前記操作面に対する前記検出対象の接触による圧力を検出する圧力検出部と、
前記操作検出部が前記検出対象の検出状態から非検出状態に移行しても前記圧力検出部が圧力を検出していた場合、前記検出対象が前記検出領域から前記非検出領域に移動したと推定し、この推定により判定可能として予め定められた操作を判定する判定部と、
を備えた操作検出装置。
【請求項２】
前記判定部は、前記操作検出部が前記非検出状態となってから予め定められた時間内で前記圧力が検出されなくなった場合、前記検出状態から前記圧力が検出されなくなるまでの経過時間に基づいて前記予め定められた操作を判定する、
請求項１に記載の操作検出装置。
【請求項３】
前記判定部は、前記操作検出部が前記非検出状態となってから前記予め定められた時間より長く前記圧力が検出された場合、前記予め定められた操作とは異なる操作の判定を行う、
請求項２に記載の操作検出装置。
【請求項４】
前記判定部が判定する前記予め定められた操作は、フリック操作、ピンチイン操作及びピンチアウト操作の少なくとも１つである、
請求項１乃至３のいずれか１項に記載の操作検出装置。
【発明の詳細な説明】
【技術分野】
【０００１】
本発明は、操作検出装置に関する。
【背景技術】
【０００２】
従来の技術として、操作面に対する操作導体の近接による静電容量の変化を検出するタッチセンサと、タッチセンサによって検出された検出静電容量に基づいて操作面における操作導体の操作位置を検出する制御部と、操作面が操作導体に押圧されたことを検出する押圧検出手段とを備えた入力装置が知られている（例えば、特許文献１参照。）。
【０００３】
この入力装置の制御部は、検出静電容量が基準静電容量を越えていない場合であって押圧検出手段により押圧が検出されたことを入力すると、閾値を下げ、検出静電容量が閾値を下げた後の補正静電容量を超えると、検出静電容量が補正静電容量を超えたときの操作面における位置情報を検出する。
【先行技術文献】
【特許文献】
【０００４】
【特許文献１】特開２０１３−１５６８８８号公報
【発明の概要】
【発明が解決しようとする課題】
【０００５】
しかし、従来の入力装置は、押圧検出手段が押圧の検出によって操作を検出するための閾値を下げるので、操作面の下方に配置された複数の透明電極の配線がまとめられた領域に操作導体が近接すると、本来検出されない操作導体が検出され易くなり、操作者の意図しない操作が検出される可能性がある。
【０００６】
従って、本発明の目的は、操作者の意図しない操作の判定を抑制して操作性を向上させることができる操作検出装置を提供することにある。
【課題を解決するための手段】
【０００７】
本発明の一態様は、検出対象の接触が検出される検出領域、及び検出領域の周囲の領域であり、検出対象の接触が検出されない非検出領域に分けられる操作面を有する操作検出部と、操作面に対する検出対象の接触による圧力を検出する圧力検出部と、操作検出部が検出対象の検出状態から非検出状態に移行しても圧力検出部が圧力を検出していた場合、検出対象が検出領域から非検出領域に移動したと推定し、この推定により判定可能として予め定められた操作を判定する判定部と、を備えた操作検出装置を提供する。
【発明の効果】
【０００８】
本発明によれば、操作者の意図しない操作の判定を抑制して操作性を向上させることができる。
【図面の簡単な説明】
【０００９】
【図１】図１（ａ）は、実施の形態に係る操作検出装置が搭載された車両内部の一例を示す概略図であり、図１（ｂ）は、操作検出装置のブロック図の一例である。
【図２】図２（ａ）は、実施の形態に係る操作検出装置の構造の一例を説明するための断面模式図であり、図２（ｂ）は、タッチパッドの操作面の上面図の一例であり、図２（ｃ）は、タッチパッドのＸ電極及びＹ電極の配列の一例を説明するための上面図である。
【図３】図３（ａ）は、実施の形態に係る操作検出装置の制御部が記憶するしきい値情報の一例を示す概略図であり、図３（ｂ）は、フリック操作の一例について説明するための概略図である。
【図４】図４は、実施の形態に係る操作検出装置の判定動作の一例を示すフローチャートである。
【発明を実施するための形態】
【００１０】
（実施の形態の要約）
実施の形態に係る操作検出装置は、検出対象の接触が検出される検出領域、及び検出領域の周囲の領域であり、検出対象の接触が検出されない非検出領域に分けられる操作面を有する操作検出部と、操作面に対する検出対象の接触による圧力を検出する圧力検出部と、操作検出部が検出対象の検出状態から非検出状態に移行しても圧力検出部が圧力を検出していた場合、検出対象が検出領域から非検出領域に移動したと推定し、この推定により判定可能として予め定められた操作を判定する判定部と、を備えて概略構成されている。
【００１１】
操作検出装置は、検出領域内で検出された操作の軌跡や時間のみでなされた操作を判定しないので、検出領域内で検出された操作の軌跡や時間でなされた操作を判定する場合と比べて、操作者の意図しない操作の判定を抑制して操作性を向上させることができる。
【００１２】
[実施の形態]
（操作検出装置１の構成）
図１（ａ）は、実施の形態に係る操作検出装置が搭載された車両内部の一例を示す概略図であり、図１（ｂ）は、操作検出装置のブロック図の一例である。図２（ａ）は、実施の形態に係る操作検出装置の構造の一例を説明するための断面模式図であり、図２（ｂ）は、タッチパッドの操作面の上面図の一例であり、図２（ｃ）は、タッチパッドのＸ電極及びＹ電極の配列の一例を説明するための上面図である。なお、以下に記載する実施の形態に係る各図において、図形間の比率は、実際の比率とは異なる場合がある。また図１（ｂ）では、主な信号や情報の流れを矢印で示している。
【００１３】
操作検出装置１は、例えば、電磁気的に接続された電子機器の操作を行うものである。操作検出装置１は、例えば、導電性を有するペンや操作指による操作により、電子機器の表示部に表示されたカーソルの移動や選択、表示されたアイコンの選択、決定、ドラッグ、ドロップなどの指示を行うことができるように構成されている。本実施の形態では、検出対象として操作指による操作について説明する。
【００１４】
操作検出装置１は、図１（ａ）に示すように、車両８の運転席と助手席の間のフロアコンソール８０に配置されている。操作検出装置１の操作面１００は、このフロアコンソール８０に露出している。
【００１５】
この車両８のセンターコンソール８１には、図１（ａ）に示すように、表示装置８５が配置されている。この表示装置８５は、上述の電子機器の表示部として機能する。操作検出装置１は、例えば、この表示装置８５に表示されたカーソルの移動や表示された画像の切り替えなどを指示することができる。この電子機器は、一例として、車両８に搭載されるナビゲーション装置、空調装置、音楽再生装置及び映像再生装置などである。また操作検出装置１は、車両８の車両制御部が表示装置８５に表示させるメニューなどを操作することができる。
【００１６】
操作検出装置１は、図１（ｂ）及び図２（ａ）に示すように、操作指の接触が検出される検出領域１０１、及び検出領域１０１の周囲の領域であり、操作指の接触が検出されない非検出領域１０２に分けられる操作面１００を有する操作検出部としてのタッチパッド１０と、操作面１００に対する操作指の接触による圧力を検出する圧力検出部としての圧力センサ１６と、タッチパッド１０が操作指の検出状態から非検出状態に移行しても圧力センサ１６が圧力を検出していた場合、操作指が検出領域１０１から非検出領域１０２に移動したと推定し、この推定により判定可能として予め定められた操作を判定する判定部としての制御部１８と、を備えて概略構成されている。
【００１７】
（タッチパッド１０の構成）
タッチパッド１０は、一例として、静電容量方式のタッチパッドである。このタッチパッド１０は、操作面１００の検出領域１０１に接近、又は接触した操作指との間の静電容量を検出し、検出した静電容量に基づいた検出値Ｓ２を出力するように構成されている。なお上記の接近とは、検出された静電容量が操作の判定のためのしきい値を越えるほど接近した状態を示している。
【００１８】
このタッチパッド１０は、例えば、ガラス又は合成樹脂などの板状部材に電極が配置されている。この板状部材の表面が操作面１００となっている。またタッチパッド１０は、図２（ａ）に示すように、操作検出装置１の筐体１ａに支持されている。
【００１９】
本実施の形態では、図２（ｂ）及び図２（ｃ）の紙面の横方向をＸ軸、縦方向をＹ軸とし、操作面１００の左上を原点としている。また、以下において、Ｘ軸の座標は、Ｘに下付きの数字（１〜５）を付して、左から右に向かってＸ１〜Ｘ５と示すものとする。また、Ｙ軸の座標は、Ｙに下付きの数字（１〜５）を付して、上から下に向かってＹ１〜Ｙ５と示すものとする。
【００２０】
タッチパッド１０は、図２（ｃ）に示すように、Ｘ軸に直交するように配置された複数のＸ電極１１ａと、Ｙ軸に直交するように配置された複数のＹ電極１２ａと、を有している。
【００２１】
このＸ電極１１ａ及びＹ電極１２ａは、例えば、銅などの金属材料を用いて形成されている。また、Ｘ電極１１ａ及びＹ電極１２ａは、例えば、ＩＴＯ（酸化インジウム）などの透明電極であっても良い。そしてＸ電極１１ａ及びＹ電極１２ａは、一例として、それぞれが絶縁されて等間隔に並んでいる。
【００２２】
Ｘ電極１１ａは、例えば、図２（ｃ）に示すように、正方形となる複数の電極部と、当該電極部よりも面積が小さく、電極部同士を接続する複数の接続部と、を備えて概略構成されている。なお、座標Ｘ１及び座標Ｘ５に配置された電極は、一例として、他の座標に配置されたＸ電極１１ａを長手方向に２つに分割した形状を有するが、同じ形状としても良い。
【００２３】
Ｙ電極１２ａは、例えば、図２（ｃ）に示すように、Ｘ電極１１ａと同じ形状を有している。なお、Ｘ電極１１ａ及びＹ電極１２ａの形状は、上記の例に限定されず、変更可能である。
【００２４】
なお操作検出装置１は、タッチパッド１０を透明電極などで構成し、タッチパッド１０を表示装置８５などの表示装置上に配置する構成としても良い。
【００２５】
またタッチパッド１０は、図１（ｂ）に示すように、駆動部１３及び読出部１４を備えている。
【００２６】
駆動部１３は、制御部１８から駆動信号Ｓ１が供給される。駆動部１３は、Ｘ１〜Ｘ５の順に、選択的にＸ電極１１ａに駆動信号Ｓ１を供給する。
【００２７】
また読出部１４は、ＸｉのＸ電極１１ａが駆動されると（ｉは０〜５の整数）、Ｙ１〜Ｙ５の順に、選択的にＹ電極１２ａと接続して検出値Ｓ２を制御部１８に出力する。この検出値Ｓ２は、選択されたＸ電極１１ａとＹ電極１２ａに基づいて得られた静電容量である。
【００２８】
本実施の形態の読出部１４は、選択されたＸ電極１１ａとＹ電極１２ａに基づく静電容量を読み出し、デジタル変換処理を行ってアナログ値をデジタル値とする。従って検出値Ｓ２は、一例として、デジタル値である。
【００２９】
このタッチパッド１０は、一例として、タッチ操作、タップ操作、ダブルタップ操作、なぞり操作、ドラッグ操作、フリック操作、ピンチアウト（ピンチオープン）操作及びピンチイン（ピンチクローズ）操作などを検出する。
【００３０】
タッチ操作は、例えば、操作面１００を操作指で接触する操作を示す。タップ操作は、例えば、マウスのクリックに相当し、操作面１００を操作指で叩く操作を示す。ダブルタップ操作は、例えば、マウスのダブルクリックに相当し、操作面１００を操作指で連続して２回叩く操作を示す。なぞり操作は、例えば、操作面１００に操作指を接触させたままスライドさせる操作を示す。ドラッグ操作は、例えば、画像などを移動させる際に、画像を選択した状態で操作指をスライドさせる操作を示す。フリック操作は、例えば、操作指で操作面１００を払う操作を示す。ピンチアウト操作は、例えば、操作面１００に接触させた２本の操作指を広げて、画像などを拡大する操作を示す。ピンチイン操作は、例えば、操作面１００に接触させた２本の操作指を近づけて、画像などを縮小する操作を示す。
【００３１】
上述の推定により判定可能として予め定められた操作とは、例えば、フリック操作、ピンチイン操作及びピンチアウト操作の少なくとも１つである。本実施の形態では、予め定められた操作としてのフリック操作について説明する。
【００３２】
制御部１８は、これらの操作を判定するため、しきい値情報１８０を有している。しきい値情報１８０については、後述する。
【００３３】
またタッチパッド１０は、図１（ａ）及び図２（ａ）に示すように、フロアコンソール８０と段差がほとんどないフラットな意匠を有している。従って非検出領域１０２を覆うベゼルなどが存在しないので、操作者は、図２（ｂ）に示すように、検出領域１０１のみならず、非検出領域１０２にも接触することができる。
【００３４】
検出領域１０１は、主に、Ｘ電極１１ａ及びＹ電極１２ａが下方に位置する領域である。タッチパッド１０は、この検出領域１０１になされた上述のフリック操作などの操作を検出する。
【００３５】
非検出領域１０２は、主に、Ｘ電極１１ａに電気的に接続する配線１１ｂ、及びＹ電極１２ａに電気的に接続する配線１２ｂが下方に位置する領域である。タッチパッド１０は、この非検出領域１０２になされた操作を検出しないように構成されている。
【００３６】
この複数の配線１１ｂは、図２（ｃ）に示すように、フレキシブル基板１５を介して駆動部１３に電気的に接続される。また複数の配線１２ｂは、フレキシブル基板１５を介して読出部１４に電気的に接続される。
【００３７】
（圧力センサ１６の構成）
圧力センサ１６は、例えば、電子式又は機械式の圧力センサである。圧力センサ１６は、一例として、図２（ａ）に示すように、タッチパッド１０の裏面１００ａの中央に配置されている。なお操作検出装置１は、複数の圧力センサをタッチパッド１０の四隅に配置する構成であっても良い。
【００３８】
この圧力センサ１６は、タッチパッド１０に加えられた圧力を検出して圧力値Ｓ３を制御部１８に出力する。
【００３９】
（制御部１８の構成）
図３（ａ）は、実施の形態に係る操作検出装置の制御部が記憶するしきい値情報の一例を示す概略図であり、図３（ｂ）は、フリック操作の一例について説明するための概略図である。
【００４０】
制御部１８は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部１８が動作するためのプログラムと、しきい値情報１８０と、が格納されている。ＲＡＭは、例えば、一時的に演算結果等を格納する記憶領域として用いられ、履歴情報１８５を記憶する。また制御部１８は、時間を測定する機能を有している。
【００４１】
制御部１８は、タッチパッド１０が非検出状態となってから予め定められた時間内で圧力が検出されなくなった場合、検出状態から圧力が検出されなくなるまでの経過時間に基づいてフリック操作を判定する。
【００４２】
また制御部１８は、タッチパッド１０が非検出状態となってから予め定められた時間より長く圧力が検出された場合、フリック操作とは異なる操作の判定を行う。この予め定められた時間とは、制御部１８が有する後述する時間しきい値１８４である。
【００４３】
しきい値情報１８０は、図３（ａ）に示すように、複数のしきい値を含んでいる。しきい値情報１８０は、一例として、操作面１００に接近又は接触した操作指を検出するためのしきい値と、なされた操作の種類を判定するためのしきい値と、圧力しきい値１８３と、時間しきい値１８４と、を有している。
【００４４】
操作指を検出するためのしきい値は、例えば、検出しきい値１８１である。制御部１８は、タッチパッド１０から取得した検出値Ｓ２と検出しきい値１８１とを比較して検出領域１０１において操作指が検出されたか否かを判定する。制御部１８は、検出しきい値１８１よりも大きい検出値Ｓ２に基づいて操作指が検出された座標を算出して時系列的に履歴情報１８５として記憶する。なおタッチパッド１０が操作指を検出した座標を算出し、この座標の情報を制御部１８に出力する構成であっても良い。
【００４５】
なされた操作の種類を判定するためのしきい値は、例えば、判定しきい値１８２である。この判定しきい値１８２は、例えば、上述のなぞり操作などごとに設定された複数のしきい値を含んでいる。図３（ａ）では、一例として、なぞりしきい値１８２ａとフリックしきい値１８２ｂが図示されている。以下では、フリックしきい値１８２ｂについて説明する。
【００４６】
一本の操作指で行われる操作の一例として、タッチ操作、フリック操作及びなぞり操作がある。このタッチ操作は、ほぼ同じ場所で行われる操作であり、操作面１００に接触している時間、つまり検出されている時間が短い。またフリック操作は、タッチ操作と比べて、操作面１００を移動する距離、及び検出されている時間が長い。そしてなぞり操作は、フリック操作と比べて、移動する距離、及び検出されている時間が長い。
【００４７】
判定しきい値１８２は、上述のタッチ操作、なぞり操作及びフリック操作などの違いを判定できるように設定される。
【００４８】
圧力しきい値１８３は、例えば、圧力に関するしきい値である。制御部１８は、圧力センサ１６から取得した圧力値Ｓ３が圧力しきい値１８３よりも大きい場合、操作指が操作面１００に接触していると判定する。
【００４９】
ここで図３（ｂ）に示すように、なぞり操作が検出領域１０１と非検出領域１０２に跨って行われた場合、タッチパッド１０は、検出領域１０１内の軌跡９を検出するが、非検出領域１０２における軌跡９を検出することができない。なお軌跡９は、なぞり操作によって操作指が操作面１００に接触した軌跡を示している。
【００５０】
上述のように、フリック操作となぞり操作は、例えば、操作の時間、及び操作の距離によって判別することができる。ベゼルなどによって、非検出領域が隠れており、実質的に検出領域が操作面となっている場合、フリック操作となぞり操作は、操作の時間と操作の距離によって判別することが可能である。
【００５１】
しかし本実施の形態のように、タッチパッド１０が周囲とフラットになるように配置されている場合、操作指の検出に適さない非検出領域１０２が露出し、図３（ｂ）に示すような検出領域１０１と非検出領域１０２の双方に跨る操作が可能となる。
【００５２】
その結果、操作者がなぞり操作のつもりで操作面１００をなぞると、検出される時間と検出領域１０１における軌跡９が短くなり、フリック操作がなされたと誤判定される可能性がある。
【００５３】
本実施の形態の制御部１８は、この誤判定を防止するために、圧力センサ１６によって操作面１００の圧力を監視している。つまり制御部１８は、タッチパッド１０では検出されない非検出領域１０２における操作指の接触を圧力センサ１６の圧力検出の有無によって判定するように構成されている。
【００５４】
制御部１８は、圧力センサ１６から取得する圧力値Ｓ３と圧力しきい値１８３とを比較し、圧力値Ｓ３が圧力しきい値１８３よりも大きい場合、操作指が非検出領域１０２に接触して操作が継続していると推定する。
【００５５】
従って制御部１８は、タッチパッド１０から取得した検出値Ｓ２に基づいて検出領域１０１における操作が検出されなくなったことをトリガとして、なされた操作がフリック操作なのか、フリック操作と異なる他の操作なのかの判定を行う前に、圧力が検出されているか否かを判定する。
【００５６】
制御部１８は、タッチパッド１０が操作を検出していないものの圧力センサ１６が引き続き圧力しきい値１８３より大きい圧力を検出している場合、タッチパッド１０によって操作が検出されていた時間に基づいて操作を判定するのではなく、タッチパッド１０による操作の検出開始から圧力が検出されなくなるまでの時間を考慮して操作を判定する。
【００５７】
さらに制御部１８は、圧力が検出される時間に基づいてフリック操作の判定を行うか、その他の操作の判定を行うかを切り替える。
【００５８】
具体的には、制御部１８は、非検出状態をトリガとして圧力を確認し、圧力が検出された場合、圧力が検出されている時間と時間しきい値１８４とを比較する。制御部１８は、圧力が検出されている時間が時間しきい値１８４内であった場合、フリック操作の判定を行う。また制御部１８は、圧力が検出されている時間が時間しきい値１８４より長い場合、フリック操作以外の操作の判定を行う。なお時間しきい値１８４は、一例として、１秒である。
【００５９】
このフリック操作以外の操作は、一例として、なぞり操作である。制御部１８は、一例として、圧力が検出されている時間が時間しきい値１８４より長くなると、検出領域１０１の軌跡９や時間からなぞり操作か否かを判定する。
【００６０】
ここで変形例として制御部１８は、ピンチイン又はピンチアウトが検出され、一方が検出状態で他方が非検出状態となった場合、圧力センサ１６が検出する圧力が予め定められた範囲内の変動であれば、非検出領域１０２に他方の操作指が移動したとして操作の継続を推定するように構成されても良い。
【００６１】
履歴情報１８５は、操作が検出された座標と時間とを関連付けて時系列的に並べて生成される。制御部１８は、履歴情報１８５に基づいて操作が検出された距離や操作の継続時間を算出する。
【００６２】
制御部１８は、判定した操作に基づいて操作情報Ｓ４を生成し、接続された電子機器に出力する。
【００６３】
以下に、本実施の形態における判定動作の一例について図４のフローチャートに従って説明する。この判定動作は、検出状態から非検出状態への変化をトリガとしてフリック操作の判定動作を行う場合を想定している。
【００６４】
（動作）
操作検出装置１の制御部１８は、車両８の電源が投入されると、駆動信号Ｓ１をタッチパッド１０に出力して検出値Ｓ２を取得する（Ｓ１）。
【００６５】
制御部１８は、取得した検出値Ｓ２と検出しきい値１８１とを比較して操作が検出されたか否かを判定する。制御部１８は、操作が検出された場合（Ｓ２：Ｙｅｓ）、操作指が検出された座標と時間とを関連付けて履歴情報１８５を生成する（Ｓ３）。
【００６６】
制御部１８は、次の周期の検出値Ｓ２を取得する（Ｓ４）。制御部１８は、ステップ２と同様に操作が検出されたか否かを判定する。
【００６７】
制御部１８は、操作が検出された場合（Ｓ５：Ｙｅｓ）、新たに検出された座標と時間とを関連付けて履歴情報１８５を蓄積する（Ｓ６）。制御部１８は、ステップ４に処理を進めて、次の周期の検出値Ｓ２を取得する。
【００６８】
ここでステップ５において、制御部１８は、操作が検出されない、つまり検出領域１０１において操作指が検出状態から非検出状態となった場合（Ｓ５：Ｎｏ）、圧力センサ１６から出力される圧力値Ｓ３と圧力しきい値１８３とを比較する。制御部１８は、圧力値Ｓ３が圧力しきい値１８３より大きく、圧力が検出された場合（Ｓ７：Ｙｅｓ）、圧力が検出されている時間の計測を開始する。
【００６９】
制御部１８は、圧力を検出している時間が時間しきい値１８４以内である場合（Ｓ８：Ｙｅｓ）、フリック操作の判定を行う（Ｓ９）。制御部１８は、判定結果に基づいた操作情報Ｓ４を電子機器に出力する（Ｓ１０）。なお制御部１８は、フリック操作が行われたと判定された場合、フリック操作に基づく操作情報Ｓ４を生成し、フリック操作が行われたと判定されなかった場合、判定しきい値１８２のなぞりしきい値１８２ａなどを用いて他の操作の判定を行い、判定結果に基づく操作情報Ｓ４を生成する。
【００７０】
ここでステップ２において、制御部１８は、操作が検出されなかった場合（Ｓ２：Ｎｏ）、ステップ１に処理を進めて次の周期の検出値Ｓ２を取得する。
【００７１】
またステップ７において、制御部１８は、圧力が検出されなかった場合（Ｓ７：Ｎｏ）、ステップ９に処理を進めてフリック操作の判定を行う（Ｓ１１）。
【００７２】
またステップ８において、制御部１８は、圧力が検出されている時間が時間しきい値１８４を超える場合（Ｓ８：Ｎｏ）、フリック操作以外の操作の判定を行う（Ｓ１２）。制御部１８は、判定結果に基づいた操作情報Ｓ４を電子機器に出力する（Ｓ１０）。
【００７３】
（実施の形態の効果）
本実施の形態に係る操作検出装置１は、検出状態から非検出状態に移行したことをトリガとしてフリック操作の判定を行うのではなく、非検出状態においても圧力が検出されている場合、圧力が検出されている時間に基づいてフリック操作、又はその他の操作の判定を行うので、非検出状態への移行をトリガとしてフリック操作を判定する場合と比べて、なされた操作の判定精度が向上する。従って操作検出装置１は、操作者の意図しない操作の判定を抑制して操作性を向上させることができる。
【００７４】
操作検出装置１は、ベゼルなどを設けて非検出領域を接触不可にする場合と比べて、意匠に自由度が大きくなり、また周囲とフラットとなる意匠を採用することができて意匠が優れている。
【００７５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００７６】
１…操作検出装置、１ａ…筐体、８…車両、９…軌跡、１０…タッチパッド、１１ａ…Ｘ電極、１１ｂ…配線、１２ａ…Ｙ電極、１２ｂ…配線、１３…駆動部、１４…読出部、１５…フレキシブル基板、１６…圧力センサ、１８…制御部、８０…フロアコンソール、８１…センターコンソール、８５…表示装置、１００…操作面、１００ａ…裏面、１０１…検出領域、１０２…非検出領域、１８０…しきい値情報、１８１…検出しきい値、１８２…判定しきい値、１８２ａ…なぞりしきい値、１８２ｂ…フリックしきい値、１８３…圧力しきい値、１８４…時間しきい値、１８５…履歴情報
【図１】
2016218820.tif 000003
【図２】
2016218820.tif 000004
【図３】
2016218820.tif 000005
【図４】
2016218820.tif 000006